(57)【要約】【課題】地震等の振動が生じた場合、コンクリート柱の上下間での変位を抑制し、損傷の軽減を図る。【解決手段】本発明は、コンクリート柱の振動変位を抑制する耐震補強構造であって、前記コンクリート柱の上部近傍に固定された第１固定部と、前記コンクリート柱の下部近傍に固定された第２固定部と、前記第１固定部と前記第２固定部とを接続する補強材と、を備えることを特徴とする。【選択図】図２
2014066017.tif 000002
【特許請求の範囲】
【請求項１】
コンクリート柱の振動変位を抑制する耐震補強構造であって、
前記コンクリート柱の上部近傍に固定された第１固定部と、
前記コンクリート柱の下部近傍に固定された第２固定部と、
前記第１固定部と前記第２固定部とを接続する補強材と、を備えることを特徴とする
コンクリート柱の耐震補強構造。
【請求項２】
前記補強材は、前記コンクリート柱の所定面側と、前記所定面と前記コンクリート柱を挟んで対向する対向面側に配置されていることを特徴とする
請求項１に記載のコンクリート柱の耐震補強構造。
【請求項３】
１の構造物を複数の前記コンクリート柱で支持するとともに、
前記補強材は、ある前記コンクリート柱の所定面側と、前記所定面と複数の前記コンクリート柱を挟んで対向する対向面側に配置されていることを特徴とする
請求項１または請求項２に記載のコンクリート柱の耐震補強構造。
【請求項４】
前記第１固定部は、前記コンクリート柱の梁に固定されていることを特徴とする
請求項１から請求項３の何れか１項に記載のコンクリート柱の耐震補強構造。
【請求項５】
前記第２固定部は、前記コンクリート柱のフーチングに固定されていることを特徴とする
請求項１から請求項４の何れか１項に記載のコンクリート柱の耐震補強構造。
【請求項６】
前記補強材は、前記コンクリートが延在する方向に沿って配置されていることを特徴とする
請求項１から請求項５の何れか１項に記載のコンクリート柱の耐震補強構造。
【請求項７】
複数の前記補強材を備え、
複数の前記補強材を互いに連結する連結材が設けられていることを特徴とする
請求項６に記載のコンクリート柱の耐震補強構造。
【請求項８】
前記補強材は、前記コンクリート柱を巻回して配置されていることを特徴とする
請求項１から請求項７の何れか１項に記載のコンクリート柱の耐震補強構造。
【請求項９】
前記コンクリート柱に固定され、前記補強材を可動可能に支持する支持部材を有する
請求項８に記載のコンクリート柱の耐震補強構造。
【請求項１０】
前記補強材は、前記コンクリート柱から離間して配置されていることを特徴とする
請求項１から請求項９の何れか１項に記載のコンクリート柱の耐震補強構造。
【請求項１１】
前記コンクリート柱の上部近傍に第１固定部を固定し、
前記コンクリート柱の下部近傍に第２固定部を固定し、
前記第１固定部と前記第２固定部とを補強材で連結し、
前記コンクリート柱の振動変位を抑制することを特徴とする
コンクリート柱の耐震補強方法。
【発明の詳細な説明】
【技術分野】
【０００１】
本発明は高架橋柱、橋脚、橋台、建築柱など、コンクリート柱に関するものであり、特に、地震の揺れにより発生する損傷を軽減するコンクリート柱の耐震補強構造、並びに、コンクリート柱の耐震補強方法に関するものである。
【背景技術】
【０００２】
既設の高架橋柱、橋脚、橋台、建築中など、コンクリート柱に対する耐震補強としては、鋼板巻き補強、ＲＣ巻き補強等の方法が利用されている。特許文献１〜３にみられるように、コンクリート柱に関する各種補強方法が提案されている。
【０００３】
ところで、近年の比較的規模の大きな地震によって高架橋柱に損傷が発生している。高架橋柱の損傷は、大きく二つ（せん断損傷、曲げ損傷）に分類することができる。
【０００４】
せん断損傷とは、柱の中間付近で斜めにひび割れが発生し、斜めのひび割れ面で柱のずれが大きくなると、柱が２分割された状態となる。このため、高架橋上層部（梁やスラブ）が落橋するような甚大な被害となる場合がある。１９９５年の兵庫県南部地震では、せん断損傷によって高架橋の落橋が発生した。
【０００５】
曲げ損傷とは、せん断損傷ほど甚大な被害とはならないが、柱上端あるいは柱下端の曲げモーメントが大きくなる箇所で、かぶりコンクリートが剥落し、軸方向鉄筋が露出するような損傷を伴う形態である。曲げ損傷箇所で十分な性能を有していない場合、軸方向鉄筋内部のコアコンクリートと呼ばれる部分が欠落する場合もある。そのような場合、高架橋上層部が若干沈下する可能性もある。
【先行技術文献】
【特許文献】
【０００６】
【特許文献１】特開平９−１４３９３１公報
【特許文献２】特許第３８４４３２３号公報
【特許文献３】特許第４１６７１６７号公報
【発明の概要】
【発明が解決しようとする課題】
【０００７】
高架橋柱の耐震補強は、１９９５年の兵庫県南部地震以降、多く実施されている。一般的な工法としては、柱周面に鋼板を巻き立て、鋼板と柱の隙間にモルタルを充填する方法（鋼板巻き補強工法）、コンクリートを巻き立てる方法（ＲＣ巻き補強工法）、合成樹脂シートを高架橋柱周面に巻き、シートに樹脂を含浸させることで高架橋柱に接着する方法等が知られている。
【０００８】
これらの耐震補強工法は、高架橋柱に補強材等を巻き立てることにより、高架橋柱自体のせん断補強効果を図るものである。このような耐震補強工法では、補強材の量を多くすることで必要な変形性能に対して対応することが可能である。これらの耐震補強を行った場合であっても、高架橋柱の変形量が補強工法の限界変位を超えた場合、高架橋柱に損傷が生じてしまう。特に高架橋柱に補強材を多く配置した場合、高架橋柱自体の重量増加により、高架橋柱内の軸方向鉄筋が振動の繰り返しの影響で破断しやすくなる（低サイクル疲労）場合もある。
【０００９】
このようにコンクリート柱としての高架橋柱は、現在用いられている耐震補強工法を実
施した場合であっても、大規模な地震において強い揺れを数回受けると、大きな被害に発展する可能性がある。
【課題を解決するための手段】
【００１０】
そのため本発明に係るコンクリート柱の耐震補強構造は、
コンクリート柱の振動変位を抑制する耐震補強構造であって、
前記コンクリート柱の上部近傍に固定された第１固定部と、
前記コンクリート柱の下部近傍に固定された第２固定部と、
前記第１固定部と前記第２固定部とを接続する補強材と、を備えることを特徴とする。
【００１１】
さらに本発明に係るコンクリート柱の耐震補強構造において、
前記補強材は、前記コンクリート柱の所定面側と、前記所定面と前記コンクリート柱を挟んで対向する対向面側に配置されていることを特徴とする。
【００１２】
さらに本発明に係るコンクリート柱の耐震補強構造において、
１の構造物を複数の前記コンクリート柱で支持するとともに、
前記補強材は、ある前記コンクリート柱の所定面側と、前記所定面と複数の前記コンクリート柱を挟んで対向する対向面側に配置されていることを特徴とする。
【００１３】
さらに本発明に係るコンクリート柱の耐震補強構造において、
前記第１固定部は、前記コンクリート柱の梁に固定されていることを特徴とする。
【００１４】
さらに本発明に係るコンクリート柱の耐震補強構造において、
前記第２固定部は、前記コンクリート柱のフーチングに固定されていることを特徴とする。
【００１５】
さらに本発明に係るコンクリート柱の耐震補強構造において、
前記補強材は、前記コンクリートが延在する方向に沿って配置されていることを特徴とする。
【００１６】
さらに本発明に係るコンクリート柱の耐震補強構造において、
複数の前記補強材を備え、
複数の前記補強材を互いに連結する連結材が設けられていることを特徴とする。
【００１７】
さらに本発明に係るコンクリート柱の耐震補強構造において、
前記補強材は、前記コンクリート柱を巻回して配置されていることを特徴とする。
【００１８】
さらに本発明に係るコンクリート柱の耐震補強構造は、
前記コンクリート柱に固定され、前記補強材を可動可能に支持する支持部材を有する。
【００１９】
さらに本発明に係るコンクリート柱の耐震補強構造において、
前記補強材は、前記コンクリート柱から離間して配置されていることを特徴とする。
【００２０】
また本発明に係るコンクリート柱の耐震補強方法は、
前記コンクリート柱の上部近傍に第１固定部を固定し、
前記コンクリート柱の下部近傍に第２固定部を固定し、
前記第１固定部と前記第２固定部とを補強材で連結し、
前記コンクリート柱の振動変位を抑制することを特徴とする。
【発明の効果】
【００２１】
本発明に係るコンクリート柱の耐震補強構造（方法）によれば、地震等の振動により、大きな加速度が作用した場合においても、補強材により抗力を作用させることで、コンクリート柱の振動変位を抑え、損傷を抑制することが可能となる。
【００２２】
また、補強材の固定は、コンクリート柱の上部近傍（第１固定部）と、コンクリート柱の下部近傍（第２固定部）のみでよいため、小部材の組み合わせで補強構造を構成することが可能であり、狭隘箇所でも適用することが可能である。したがって耐震補強工事を行う際のコスト削減も図ることが可能となる。
【図面の簡単な説明】
【００２３】
【図１】高架橋に対して振動が加わったときの様子を示す模式図
【図２】本発明の実施形態に係る耐震補強構造の構成を示す図
【図３】本発明の実施形態に係る耐震補強構造の上部付近の構成を示す図
【図４】本発明の実施形態に係る耐震補強構造の水平面における断面図
【図５】本発明の実施形態に係る高架橋に振動が加わったときの様子を示す図
【図６】本発明の他の実施形態に係る耐震補強構造の水平面における断面図
【図７】本発明の他の実施形態に係る耐震補強構造の水平面における断面図
【図８】本発明の他の実施形態に係る耐震補強構造の補強材配置を示す図
【図９】本発明の他の実施形態に係る耐震補強構造の構成を示す図
【図１０】本発明の他の実施形態に係る耐震補強構造の構成を示す図
【図１１】本発明の他の実施形態に係る耐震補強構造の水平面における断面図
【発明を実施するための形態】
【００２４】
図１は、高架橋に対して振動が加わったときの様子を示す模式図である。ここで説明する高架橋１は、その上部を新幹線等の車両が走行することを想定したものである。図１は車両走行方向に直交する方向から見た断面図となっている。高架橋１は、地面Ｇから立設する高架橋柱１２、高架橋柱１２の上部に設けられたスラブ１１を有して構成されている。また、高架橋柱１２間を接続する梁１２ａが設けられており、高架橋１の強度向上が図られている。
【００２５】
このような高架橋１に対して、波形Ｅで示される地震動が入力されると、図に示されるように高架橋１の上部と高架橋の下部との間には相対的な振動変位を生じることとなる。特に、重量の大きいスラブ１１を上部で支える高架橋柱１２の場合、この振動変位は大きいものとなる。このような高架橋柱１２に加わった振動変位が、限界変位に達すると、高架橋柱１２の損傷に繋がることとなる。本実施形態の耐震補強構造は、振動による高架橋柱１２（コンクリート柱）の振動変位を抑制することで、高架橋柱１２の損傷を抑制するものである。なお、本明細書でいう「コンクリート柱」とは、鉄筋コンクリート構造、鉄骨コンクリート構造、鉄骨鉄筋コンクリート構造など、各種構造で構成されたものを含んだものである。
【００２６】
図２は、本発明の実施形態に係る耐震補強構造の構成を示す図である。この図は、図１と異なる方向から高架橋１を眺めた図であり、車両はスラブ１１上を左右方向に走行することとなる。また、図２において、左側には耐震補強構造２を施工前の高架橋柱１２が示されており、右側には耐震補強構造２を施工後の高架橋柱１２が示されている。
【００２７】
まず、施工前の高架橋柱１２の構成について説明する。高架橋柱１２は、梁１２ａを介して隣接する他の高架橋柱１２に連結されるとともに、スラブ１１を支える構造を有する。また、高架橋柱１２の下部には、フーチング１２ｂが張り出すように形成されており、地面Ｇ下部での高架橋柱１２の安定性が図られている。このフーチング１２ｂ下部には数本の基礎アンカー１３が設けられている場合もあり、フーチング１２ｂと同様、地面Ｇ下
部での高架橋柱１２の安定性が図られている。
【００２８】
このような高架橋柱１２に対して耐震補強構造２を施工したものが、図中、右側に示されている。本実施形態の耐震補強構造２は、第１固定部３、補強材４、第２固定部５を主要な構成として有している。第１固定部３は、高架橋柱１２の上部近傍に固定される部材であり、本実施形態では、高架橋柱１２の梁１２ａに固定されている。本実施形態の第１固定部３は、鋼材等で構成された取付具３２をアンカー３１にて、梁１２ａに固定している。一方、高架橋柱１２の下部近傍には第２固定部５が固定されている。
【００２９】
図３は、本発明の実施形態に係る耐震補強構造２の上部付近の構成を示す図であり、図２に示すＡ−Ａ間から矢印の方向に眺めた断面図となっている。アンカー３１は、取付具３２と高架橋柱１２の梁１２ａを貫通し、その両端で固定された状態となっている。
【００３０】
本実施形態の第２固定部５は、取付具５２とアンカー５１にて構成され、アンカー５１は、取付具５２を高架橋柱１２から張り出して形成されたフーチング１２ｂに固定されている。
【００３１】
このように高架橋柱１２の上部近傍に固定された第１固定部３、下部近傍に固定された第２固定部５の間には、それらの間を接続する補強材４が設けられている。この補強材４は、高架橋柱１２に振動が加わったときに高架橋柱１２の上部と下部の間での振動変位の抑制を図るものであり、鋼材、鋼線、鋼棒、合成樹脂繊維などで構成されたものが使用されている。本実施形態では、１つの高架橋柱１２に対して、２つの補強材４ａ、４ａ’を使用している。
【００３２】
図４には、本発明の実施形態に係る耐震補強構造２の水平面における断面図が示されている。本実施形態の高架橋柱１２は、その断面を矩形状とするものであり、一方の面（所定面）側に補強材４ａが配置されるとともに、その所定面と高架橋柱１２を挟んで対向する面（対向面）側に補強材４ａ’が配置されている。また、両補強材４ａ、４ａ’は、高架橋柱１２から離間して配置されている。本実施形態では、補強材４ａ、４ａ’は、高架橋柱１２から間隔ｄだけ離間して配置されている。このように、補強材４を高架橋柱１２から離間することにより、高架橋柱１２が振動により振動変位（変形）した場合においても、高架橋柱１２と補強材４ａが干渉（接触）することを避け、補強材４による振動変位の抑制機能を十分に維持することを可能としている。
【００３３】
なお、本実施形態では、断面形状が矩形状の高架橋柱１２について説明したが、円形等、他の形状の高架橋柱１２についても、所定面側と、所定面と対向する対向面側に配置することで振動変位の抑制機能が実現可能である。
【００３４】
では、耐震補強構造２を施した高架橋柱１２について、位置変動の抑制機能を説明する。図５は、本発明の実施形態に係る高架橋に振動が加わったときの様子を示す図である。図のように地震等の揺れが高架橋１に加わった場合、高架橋柱１２の下部（地面側）と上部（スラブ１１側）は逆方向に位置変動が生ずることで、高架橋柱１２には大きな振動変位が生ずることとなる。
【００３５】
本実施形態の耐震補強構造２は、この高架橋柱１２の上部と下部間で生ずる振動変位を抑制することで、高架橋柱１２の損傷の抑制を図るものである。例えば、図５の左側に示される高架橋柱１２についてみると、振動により、その上部が下部に対して右側に移動していることがみてとれる。このとき、この高架橋柱１２の右側に位置する補強材４ａには、それを圧縮する力が加わるため、補強材４ａから高架橋柱１２に対してはそれを押し戻そうとする抗力が加わる。図中に示す矢印は、補強材４ａ、４ａ’による抗力の方向を示
したものである。一方、高架橋柱１２の左側に位置する補強材４ａ’には、それを伸張する力が加わるため、補強材４ａ’から高架橋柱１２に対して対してはそれを引き戻そうとする抗力が加わることになる。
【００３６】
このように、第１固定部３、第２固定部５を介して接続された補強材４ａ、４ａ’によって、高架橋柱１２は、振動による振動変位とは逆向きに働く抗力を受け、振動変位の抑制が図られる。特に、本実施形態では、高架橋柱１２の所定面と、所定面に対して高架橋柱１２を挟んで対向する対向面に、補強材４ａ、４ａ’が配置されているため、振動変位の抑制の向上が図られている。また、本実施形態では、図４で説明したように補強材４ａ、４ａ’は、高架橋柱１２から間隔ｄだけ離間して配置されているため、高架橋柱１２が振動により変形を生じた場合にも、補強材４ａ、４ａ’が高架橋柱１２と干渉（接触）することなく、補強材４ａ、４ａ’が高架橋柱１２に及ぼす効力を阻害することがない。そのため、この間隔ｄは、想定される高架橋柱１２の変位量よりも大きく見積もっておくことが好ましい。
【００３７】
以上、本実施形態では、高架橋柱１２に対して、第１固定部３、第２固定部５、補強材４を有する耐震補強構造２により、高架橋柱１２に作用する振動変位を抑制し、高架橋柱１２の損傷を防ぐこととしている。本実施形態の耐震補強構造２は、高架橋柱１２の１つの所定面に１つの補強材４ａを配置し、所定面と対向する対向面にもう１つの補強材４ａ’を配置する構成をとっているが、補強材４の配置は他の形態を採用することも可能である。
【００３８】
図６〜図８は、本発明の他の実施形態に係る耐震補強構造２について、図４と同様、水平面での断面の様子を示した図である。図４の実施形態では、矩形状の断面を有する高架橋柱１２の一対の面に補強材４ａ、４ａ’を配置していたのに対して、図６の実施形態では、さらに一対の面に補強材４ｂ、４ｂ’を配置している。このような構成によれば、補強材４ａと４ａ’を結ぶ線分方向の振動変位のみならず、補強材４ｂと４ｂ’を結ぶ線分方向の振動変位に対応することが可能となる。
【００３９】
図７の実施形態では、一つの面（所定面）に複数の補強材４ａ、４ｂを配置し、対向面において対応する位置に補強材４ａ’、４ｂ’を配置した構成としている。このように一つの面に複数の補強材４を配置したことで、振動変位に対して作用する抗力を大きくとることが可能となる。
【００４０】
以上の実施形態では、１つの高架橋柱１２の所定面と対向面に補強材４を配置することとしていたが、補強材４の配置は、高架橋１を形成するブロック単位で考慮することとしてもよい。図８は、高架橋１の水平面での断面を示した様子が示されており、破線にてスラブ１１Ａ〜Ｃが示されている。高架橋１は、ブロック単位に分割された構成を有しており、各ブロック内では１つのスラブ１１（構造物）を複数の高架橋柱１２で支持する構成を有している。このような構成では、補強材４は、各高架橋柱１２の所定面と対向面に設けるのではなく、ブロック単位で、高架橋柱１２の所定面と他の高架橋柱１２の対向面に設けることとしてもよい。
【００４１】
中央に位置するスラブ１１Ｂに関してみると、スラブ１１Ｂは、６本の高架橋柱１２ａ〜１２ｆで支えられたブロックで構成されている。図中、縦方向に関してみると、高架橋柱１２ａの図中上側の面を所定面として補強材４ａを配置した場合、高架橋柱１２ｄの図中下側の面が対向面となり、この面に補強材４ａ’が配置される。高架橋柱１２ｂと高架橋柱１２ｅ、高架橋柱１２ｃと高架橋柱１２ｆについても同様である。また、図中横方向に関してみると、高架橋柱１２ａの図中、左側面を所定面とした場合、高架橋柱１２ｃの右側面を対向面として、それぞれ、補強材４ｄ、４ｄ’が配置される。図中横方向の関係
については、高架橋柱１２ｄと高架橋柱１２ｆについても同様である。このように、高架橋柱１２のある面を所定面とした場合、この所定面に複数の高架橋柱１２を挟んで対向する対向面とし、所定面側、対向面側のそれぞれに補強材１２を配置することで、ブロック単位でバランスよく振動変位の抑制を図ることが可能となる。また、補強材４を配置する面数の削減し、コストの抑制を図ることも可能となる。
【００４２】
図９は、本発明の他の実施形態に係る耐震補強構造の構成を示す図である。この実施形態では、複数の補強材４ａ、４ａ’間を連結材４１で接続し、耐震補強構造２の強度向上が図られている。また、高架橋柱１２のコンクリート材が剥落した場合においても、連結材４１にて、剥落したコンクリート材が周囲に離散することを抑制することが可能となる。図９の実施形態では、連結材４１を互いに交差させたラチス状に配置されているが、トラス状に配置する等、各種配置形態を採用することが考えられる。
【００４３】
以上、説明した実施形態では、第１固定部３と第２固定部５の間を、高架橋柱１２が延在する方向（鉛直方向）に沿って配置された補強材４について説明したが、補強材４は、高架橋柱１２を巻回するように配置してもよい。図１０は、本発明の他の実施形態に係る耐震補強構造の構成を示す図であり、図１１は、図１０の耐震補強構造について水平面における断面図（図１０のＣ区間における）を示したものである。
【００４４】
図１０に示されるよう、この実施形態の耐震補強構造は、高架橋柱１２の上部近傍に固定された第１固定部３、高架橋柱１２の下部近傍に固定された第２固定部５を備えて構成されている。これら第１固定部３、第２固定部５は、図２等を用いて説明した実施形態と同様であるため、ここでの説明は省略する。
【００４５】
本実施形態は、こらら第１固定部３と第２固定部５の間に補強材４が設けられている点では、前述の実施形態と同様である。ただし、前述の実施形態では、補強材４は、高架橋柱１２が延在する方向に沿って配置されていたのに対し、本実施形態では、補強材４は、高架橋柱１２を巻回して配置されている点で異なっている。補強材４には、鋼線、ワイヤー、合成樹脂繊維等、可撓性を有する材料を使用することが好ましい。補強材４の一端は、第１固定部３に設けられた固定具３３に、また、補強材４の他端は、第２固定部５に設けられた固定具５３に固定されている。
【００４６】
また、補強材４を巻回する際、高架橋柱１２と補強材４の間には、支持部材６が設けられ、高架橋柱１２と補強材４を離間させている。図１１には、図１０のＣ区間における水平面での断面図が示されている。本実施形態の支持部材６は、高架橋柱１２の四隅に設けられている。各支持部材６は、固定具６１と滑車６２を有して構成されている。固定具６１は、高架橋柱１２に対して固定されるとともに、滑車６２を回動可能に支持している。巻回された補強材４は、この滑車６２上に配置されている。支持部材６は、地震等の振動が発生した場合、高架橋柱１２に巻回される補強材４を可動可能に支持することで、補強材４が断線することを抑制するとともに、抗力が高架橋柱１２に対して有効に作用することを図るものである。なお、支持部材６には、滑車６２を設けたもの以外に、補強材４が可動可能なように曲面を形成した固定具６１のみとする等、各種形態が考えられる。
【００４７】
この実施形態の耐震強構造２によれば、図５で説明した実施形態と同様、振動が発生した場合、振動変位を抑制する抗力を高架橋柱１２に作用させ、高架橋柱１２の損傷を抑制することが可能となる。特に、補強材４が巻回されているため、高架橋柱１２の全体にわたって抗力を作用させることが可能となっている。また、高架橋柱１２のコンクリート材が剥落した場合、補強材４によりコンクリート材をせき止め、コンクリート材が周囲に離散することを抑制することが可能となっている。
【００４８】
なお、本発明はこれらの実施形態のみに限られるものではなく、それぞれの実施形態の構成を適宜組み合わせて構成した実施形態も本発明の範疇となるものである。
【符号の説明】
【００４９】
１…高架橋
１１…スラブ
１２…高架橋柱（コンクリート柱）
１２ａ…梁
１２ｂ…フーチング
１３…基礎アンカー
２…耐震補強構造
３…第１固定部
３１…アンカー
３２…取付具
４…補強材
４１…連結材
５…第２固定部
５１…アンカー
５２…取付具
６…支持部材
６１…固定具
６２…滑車
【図１】
2014066017.tif 000003
【図２】
2014066017.tif 000004
【図３】
2014066017.tif 000005
【図４】
2014066017.tif 000006
【図５】
2014066017.tif 000007
【図６】
2014066017.tif 000008
【図７】
2014066017.tif 000009
【図８】
2014066017.tif 000010
【図９】
2014066017.tif 000011
【図１０】
2014066017.tif 000012
【図１１】
2014066017.tif 000013